(57)【特許請求の範囲】
【請求項１】
裁断方向に配置されたフレームと、該フレームに沿って移動する刃物固定部を有し、
刃物固定部は、
裁断刃を固定するベース部材と、
裁断刃と、
裁断刃を固定する固定用手段とからなり、
上記ベース部材と裁断刃の間に角度調整用スペーサーを配置させことにより
畳床の表面から垂直方向に一定寸法だけ下がった裁断面の一点を裁断刃が通るように角度調整され、角度調整用スペーサーを少なくとも２つのスペーサーに分離させ、裁断刃の所望の角度に調整する傾斜面を有する角度調整スペーサーと、所定の厚みを有する角度調整スペーサーとし、所定の厚みを有する角度調整スペーサーだけを外して裁断刃を固定した場合においては、畳床の表面から垂直方向に一定寸法だけ下がった裁断面の一点を垂直方向に上昇させて畳床の表面を通る一点に変更して角度調整を行うこと
を特徴とする畳床裁断装置。
【請求項２】
上記固定用手段がネジであり、角度調整用スペーサーに設けた位置決め溝がネジに当接した状態で角度調整用スペーサーの垂直方向の位置決めが行われることを特徴とする請求項１記載の畳床裁断装置。
【発明の詳細な説明】
【技術分野】
【０００１】
本発明は、畳床裁断装置に関するものである。さらに詳しくは、畳床裁断装置に関し、畳床の周囲を裁断する刃物の傾斜角度を容易に調整できるように構成する畳裁断装置に関するものである。
【背景技術】
【０００２】
従来より、畳床裁断装置に関し、畳床の周囲を裁断する刃物の傾斜角度を容易に調整できるように構成したものが特許文献１のように知られている。
特許文献１は、 裁断方向に配置されたフレームと、該フレームに沿って走行する走行部材と、該走行部材に固定され、畳床の表面から一定寸法だけ下がった裁断面の一点を旋回中心として共有する複数の円弧状の長穴をあけた支持用基板と、上記支持用基板の複数の円弧状の長穴にそれぞれ嵌挿する複数のピンを植設した刃物用基板と、該刃物用基板に固定された架台に搭載されてモータにより回転される円形の裁断刃とよりなる刃物アッセンブリと、上記支持用基板に対する上記刃物用基板の相対位置を、上記旋回中心を軸としてずらせる手段とを具備し、上記刃物用基板の旋回により円形の裁断刃の角度を設定することを特徴とする畳床裁断装置である。
【０００３】
特許文献２は、基台上で間隔を変化し得る一対の架台、両架台の間隔を検出する第１のエンコーダ、上記両架台にそれぞれ載置されて裁断角度を変え得るカッター、該カッターの裁断角度を検出する第２のエンコーダ、予め入力された畳のくせのデータと上記各エンコーダの出力に基づいて上記両架台の間隔および上記カッターの裁断角度を制御する制御手段を有し、畳床の框をくせ取りしながら所定の寸法に裁断する左右の裁断装置と、上記一対の架台の中間に配置されて上下に昇降できるターン・テーブルと、畳表にテンションを付与する畳表チャック装置、テンションが付与された状態で畳床を畳表とともに固定する床締部材、畳床の框に畳表を縫い付けるミシンを有する縫着装置と、を具備することを特徴とする畳床の框を裁断して畳表を縫い付ける装置である。左右の裁断装置により、畳の框を両方同時に裁断することができる構成になっているものである。
【０００４】
特許文献３は、基台のミシン側の端部に固定された１台の裁断装置と、上記基台上を移動する移動架台を備えており、該移動架台は上下に昇降し、畳床を１８０度旋回させるターン・テーブルと畳床を保持する保持装置とを具備し、上記移動架台と上記裁断装置の間隔を検出する第１のエンコーダと上記裁断装置の裁断角度を検出する第２のエンコーダと、予め入力された畳床の框のくせのデータと上記各エンコーダの出力に基づいて、上記移動架台の位置および上記裁断装置の裁断角度を制御する制御手段と、畳床の框をくせ取りしながら所定の寸法に裁断する上記裁断装置のカッターと、畳表にテンションを付与する畳表チャック装置と、テンションが付与された状態で畳床を畳表とともに固定する床締部材と、畳床の框に畳表を縫い付けるミシンを有する縫着装置とを具備することを特徴とする畳床の框を裁断して畳表を縫い付ける装置である。畳の框の裁断は片側だけで、一方の裁断後に畳床を１８０度旋回させて裁断する構成となっているものである。
【先行技術文献】
【特許文献】
【０００５】
【特許文献１】特許第５１２０９３５号公報
【特許文献２】特許第３４５１８３８号公報
【特許文献３】特許第３６４６９２４号公報
【発明の開示】
【発明が解決しようとする課題】
【０００６】
特許文献１の畳床裁断装置においては、モータにより回転される裁断刃となっており、裁断刃を回転させる駆動源が必要で、裁断刃を駆動させるためのユニットとして角度調整を行うものであり、従来から知られている裁断刃が回転しない固定刃物の畳床裁断装置においても使い勝手良く裁断刃の角度調整を実施できるようにしたいという課題があったのである。
【課題を解決するための手段】
【０００７】
上記の課題を解決するために本発明は、裁断方向に配置されたフレームと、該フレームに沿って移動する刃物固定部を有し、刃物固定部は、裁断刃を固定するベース部材と、裁断刃と、裁断刃を固定する固定用手段とからなり、上記ベース部材と裁断刃の間に角度調整用スペーサーを配置させことにより畳床の表面から垂直方向に一定寸法だけ下がった裁断面の一点を裁断刃が通るように角度調整され、角度調整用スペーサーを少なくとも２つのスペーサーに分離させ、裁断刃の所望の角度に調整する傾斜面を有する角度調整スペーサーと、所定の厚みを有する角度調整スペーサーとし、所定の厚みを有する角度調整スペーサーだけを外して裁断刃を固定した場合においては、畳床の表面から垂直方向に一定寸法だけ下がった裁断面の一点を垂直方向に上昇させて畳床の表面を通る一点に変更して角度調整を行うことを特徴とする。
【０００９】
また、上記固定用手段がネジであり、角度調整用スペーサーに設けた位置決め溝がネジに当接した状態で角度調整用スペーサーの垂直方向の位置決めが行われることを特徴とする。
【発明の効果】
【００１１】
ベース部材と裁断刃の間に角度調整用スペーサーを配置させることにより畳床の表面から一定寸法だけ下がった裁断面の一点を裁断刃が通るように角度調整されることで、使用者が所望する角度調整に角度調整用スペーサーを変更することで簡単に対応できる。
【００１２】
角度調整用スペーサーを少なくとも２つのスペーサーに分離させ、裁断刃の所望の角度に調整する傾斜面を有する角度調整スペーサーと、所定の厚みを有する角度調整スペーサーとすることで、畳床の表面から一定寸法だけ下がった裁断面の一点と、所定の厚みを有する角度調整スペーサーだけを外して裁断刃を固定した場合においては、畳床の表面から一定寸法だけ下がった裁断面の一点を垂直方向に上昇させて畳床の表面を通る一点に変更することで、厚い畳床と薄畳の場合とで裁断刃の角度調整のための旋回中心となる点を使い分けすることで、畳床の側面の形状を所望の形状に使い勝手良く変更することが可能となる。
【００１３】
固定手段がネジであり、角度調整用スペーサーに設けた位置決め溝がネジに当接した状態で角度調整用スペーサーの垂直方向の位置決めが行われることで、角度調整を行う場合には、ネジを緩めれば、角度調整スペーサーの変更ができ、使い勝手よくすることができる。またネジを緩めて上方から角度調整用スペーサーを落とし込むだけでとなるので角度調整を何度も行う場合には使い勝手良く、効率的に角度調整が可能となる。
【００１４】
またさらに、裁断方向に配置されたフレームと、該フレームに沿って移動する刃物固定部を有し、刃物固定部は、裁断刃を固定するベース部材と、裁断刃と、裁断刃を固定する固定用手段とからなり、上記ベース部材と裁断刃の間に角度調整用スペーサーを配置させることにより畳床の表面の一点を裁断刃が通るように角度調整されることで、使用者が所望する角度調整に角度調整用スペーサーを変更することで簡単に対応できる。
【図面の簡単な説明】
【００１５】
【図１】畳の框側から見た刃物固定部を説明する図である。
【図２】刃物の移動方向に沿って見た図１の側面図である。
【図３】裁断角度を８度にするための厚い畳用のスペーサーの説明図であり、（ａ）は正面図で（ｂ）は側面図である。
【図４】裁断角度を８度にするための厚い畳用のスペーサーの説明図である。
【図５】角度調整した際に刃物を締め付けて固定するための固定部材の図で、（ａ）は正面図で（ｂ）は側面図である。
【図６】刃物の角度調節をするために、固定用のネジをゆるめた状態を説明する図である。
【図７】刃物の角度を１３度に傾斜させて固定した状態を説明する図である。
【図８】刃物の角度は傾斜させずに固定した状態を説明する図である。
【図９】薄畳で裁断角度を８度にするための説明図である。
【図１０】薄畳で裁断角度を１３度にするための説明図である。
【図１１】厚い畳で、畳表面から一定寸法畳の内部に裁断刃の旋回中心が位置することを説明する図である。
【図１２】薄畳で、畳表面に裁断刃の旋回中心が位置することを説明する図である。
【発明を実施するための最良の形態】
【００１６】
畳床裁断装置における構成は従来技術の特許文献２、特許文献３などで知られている構成を採用できるので、本発明である裁断の刃物の角度調整の要部について図示して説明する。
【００１７】
図１は、畳床裁断装置１において畳の框側から見た刃物固定部２を図示している。図２は、刃物の移動方向に沿って見た図１の側面図である。
【００１８】
刃物固定部２は、裁断方向に移動される移動ベース３に設けられており、移動ベース３には、切断用フレーム４に設けられたレール５に当接するガイド用車輪６が設けられている。この切断用フレーム４に沿ってレール５でガイドされることにより刃物固定部２が移動して寸法精度良く畳床を切断するのである。
【００１９】
刃物固定部２は、裁断刃２０が二本のネジ２１で固定される構成としており、刃物ベース２２に固定する際に、角度調整スペーサーを刃物ベース２２と裁断刃２０の間に介在させることにより裁断刃２０の裁断角度を調整できるようにしている。
【００２０】
角度調整スペーサーを使用せずに裁断刃を固定すると畳床は畳表を取り付ける面に対して畳床の側面は直角に裁断されることとなる。（図８参照）
【００２１】
また、刃物固定部２には、畳床の角部を直角に所定深さ以上に予め裁断しておくための先裁刃２３であり、先裁刃２３は着脱可能とされており、薄畳の畳床を裁断する場合は取り外されることが多いものである。
【００２２】
図１及び図２に示した状態は、厚い畳床を裁断角度８度にした状態を示しており、裁断刃２と刃物ベース２２の間には、裁断刃２０を８度傾斜させるための第１角度調整スペーサー２４と第１角度調整スペーサー２５を介在させている。また、ネジ２１で締結するために、裁断刃２０とネジ２１のネジ頭部の間に８度用ワッシャー２６を介在させて、ネジ２１のネジ部に傾斜による力がかからないようにして確実な締結ができるようにしている。
【００２３】
図３に第１角度調整スペーサー２４を図示している。図３（ａ）は第１角度調整スペーサー２４の正面図であり、図３（ｂ）は側面図である。傾斜面２４ａに裁断刃２０を沿わせて固定するので、傾斜面２４ａの傾斜角度に裁断刃２０が調整される。
【００２４】
図４は第２角度調整スペーサー２５を図示している。図２に示しているように、刃物ベース２２側に第２角度調整スペーサー２５を配置し、裁断刃２０側に第１角度調整スペーサー２４を配置し、裁断刃２０とネジ２１のネジ頭の間に図５に示した８度用ワッシャー２６を配置してネジ２１で裁断刃２０を固定する。
【００２５】
２４ｂはネジ２１に当接して第１角度調整スペーサー２４の垂直方向の位置決めをするための位置決め溝である。第１角度調整スペーサー２４の垂直方向の位置がずれてしまうと、裁断刃２０の角度を変更した場合、畳床の切断寸法が変わってしまうため、図１１に示すように、畳の表面から一定寸法Ｈだけ垂直方向に下がった点Ｐに必ず裁断刃２０が一致するようにしており、点Ｐに裁断刃２０が合致するように角度調整スペーサーの垂直方向の位置決めが容易に行われるような構成が必要となるのである。
【００２６】
８度用ワッシャー２６の傾斜面２６ａを裁断刃２０に沿わせることでネジ２１のネジ頭は８度用ワッシャー２６の垂直な面に当接するのでネジ２１のネジ頭に曲げ応力がかからずに固定されるようにしている。
【００２７】
第２角度調整スペーサー２５と８度用ワッシャー２６は垂直方向にその位置がずれても畳床の裁断寸法には影響しないので、ネジ２１に係合する溝部の寸法については特に気を使わなくてもよい。図６に示したように、ネジ２１を緩めて、上方から第１角度調整スペーサー２４と第２角度調整スペーサー２５は、刃物ベース２２と裁断刃２０の間に、８度用ワッシャー２６は裁断刃２０とネジ２１のネジ頭の間にそれぞれ投入すれば第１角度調整スペーサー２４の位置決めができるため、作業者にとって使いやすく、また確実に裁断刃２０の角度調整が行えるのである。
【００２８】
ネジ２１のネジ部に第１角度調整スペーサー２４と第２角度調整スペーサー２５が当接する部分は、半ネジで円筒部としても良い。繰り返し角度調整をしているとネジ山が変形して寸法精度が悪くなることを防ぐことができる。また、全ネジの場合でも、第１角度調整スペーサー２４と第２角度調整スペーサー２５の厚みより薄いカラーをネジ部に嵌合し、カラーが第１角度調整スペーサー２４と第２角度調整スペーサー２５と当接するようにしておいても良い。これらの事項は別の角度に調整した場合も同様に適用できる。
【００２９】
図７は、裁断刃２０の角度を１３度に調整した状態を示している。刃物ベース２２と裁断刃２０の間に裁断刃２０側に第３角度調整スペーサー２７を配置し、刃物ベース側に第４角度調整スペーサー２８を配置している。また、裁断刃２０とネジ２１のネジ頭の間に１３度用ワッシャー２９を配置してネジ２１で固定している。
【００３０】
第３角度調整スペーサー２７は第１角度調整スペーサー２４と同様の形状で、スペーサーの厚みと傾斜面の角度が１３度に設定されているものであるので図示は省略する。同様に第４角度調整スペーサー２８も第２角度調整スペーサー２５と厚みが異なるだけであり図示を省略する。さらに、１３度用ワッシャー２９についても８度用ワッシャー２６と同様で傾斜面の角度が異なるだけであるため図示を省略する。
【００３１】
本実施形態においては、ネジ２１のネジ部に位置決め溝２４ｂが当接した位置において裁断刃２０が点Ｐに合致すると説明をしたが、刃物ベース２２に水平方向に基準線を設けておき、第１角度調整スペーサー２４にも基準線を設け、刃物ベース２２の基準線と第１角度調整スペーサー２４にも基準線を一直線に合わせて垂直方向の位置決めができるような構成としても良い。
【００３２】
また、刃物ベース２２に段差を設け、その段差に第１（または第３）角度調整スペーサー２４の上辺または下辺等を当接させて垂直方向の位置決めができるような構成としても良い。
【００３３】
またさらに、刃物ベース２２あるいは第１（または第３）角度調整スペーサー２４のいずれかに位置決め用の突起を設け、もう一方側にその突起がぴったり嵌合する凹部を設けて位置決めできるようにしても良い。そして、突起と凹部を設ける場合には第２（または第４）角度調整スペーサー２５には突起が挿通する孔部などを設けておくと良い。
【００３４】
第１角度調整スペーサー２４と第４角度調整スペーサー２８とを間違って組み合わせて使用したりしないようにするために、スペーサーの側面に着色して色をつけておき、８度用のスペーサーなのか１３度用のスペーサーなのかを側面を見れば判別できるようにしておいても良い。着色は８度、１３度以外の角度でも種々の色を着色することで、組合せの間違いを無くすことができる。もちろん着色以外に、側面の切欠の形状などを角度毎に変えて、その切欠形状が一致しているかどうかで組合せの間違いを判別したりするようにしても良い。
【００３５】
次に、薄畳の裁断について説明する。図９は、薄畳の裁断で裁断刃２０を８度に角度調整した状態を示した図である。刃物ベース２２と裁断刃２０の間に第１角度調整スペーサー２４だけを配置し、裁断刃２０とネジ２１のネジ頭の間に８度用ワッシャー２６を配置して固定している。
【００３６】
図１０は、薄畳の裁断で裁断刃２０を１３度に角度調整した状態を示した図である。刃物ベース２２と裁断刃２０の間に第３角度調整スペーサー２７だけを配置して固定している。
【００３７】
図２と比較して、図９においては第２角度調整スペーサー２５を外すことで、図１２に示すように、裁断刃２０は図１１に図示した点Ｐには合致せず、点Ｐから垂直方向に一定寸法Ｈだけ上昇した点Ｑに合致するようにしている。すなわち、点Ｑの位置は水平方向における畳の表面の位置に合致しているのである。
【００３８】
図１０においても、第４角度調整スペーサー２８を外すことで、図１２に示すように、裁断刃２０は図１１に図示した点Ｐには合致せず、点Ｐから垂直方向に一定寸法Ｈだけ上昇した点Ｑに合致するようにしている。
【００３９】
図１１は、畳の表面から一定寸法Ｈだけ下がった点Ｐに合致して裁断刃２０が角度調整される裁断刃２０の軌跡を図示したもので、図１２は、点Ｐから垂直方向に一定寸法Ｈだけ上昇した点Ｑに合致して裁断刃２０が角度調整される裁断刃２０の軌跡を図示したものである。従って点Ｐと点Ｑはそれぞれ裁断刃の旋回中心となっているのである。
【００４０】
もちろん特許文献１（特許第５１２０９３５号公報）で開示しているように、畳床と床押えとの間に厚みＨのスペーサを挟み込むことで薄畳の場合においても点Ｐに畳の表面を合わせて裁断するという構成を採用することもできる。しかし、畳床と床押えとの間に厚みＨのスペーサを挟み込むよりも、第２角度調整スペーサー２５や第４角度調整スペーサー２８を取り付けるか外しておくかによって裁断刃２０の角度調整のための刃物の旋回中心を畳が厚い場合と薄い場合の切替を行う方が作業者にとってより使い勝手を向上できることとなる。
【００４１】
また、上記においては厚い畳においては第１角度調整スペーサー２４と第２角度調整スペーサー２５で８度に角度調整し、第３角度調整スペーサー２７と第４角度調整スペーサー２８で１３度に角度調整したが、第１角度調整スペーサー２４と第２角度調整スペーサー２５を一体とした１つの８度用調整スペーサーとし、第３角度調整スペーサー２７と第４角度調整スペーサー２８を一体とした１つの１３度用調整スペーサーとしても良い。そうすることで、厚い畳用の８度のスペーサー、厚い畳用の１３度のスペーサー、薄い畳用の８度のスペーサー（第１角度調整スペーサー２４）、薄い畳用の１３度のスペーサー（第３角度調整スペーサー２７）の４つのスペーサーの使い分けとしても良いのである。
【００４２】
上記では、角度調整スペーサーを使用しなければ裁断角度は直角で、裁断刃２０の角度は８度と１３度にて説明したが、その他の角度にすることも可能であり、実施形態に説明した角度だけの調整に限定するものではない。
【００４３】
また、点Ｑは薄畳の裁断として上記では説明したが、先裁刃２３を使用すること無く、厚い畳床においても畳床の表面に一致する点Ｑにおいて裁断するようにしても良く、所望の角度、垂直に裁断した裁断面を有するか有しないかについても作業者の所望するようにすることが可能である。
【符号の説明】
【００４４】
１  畳床裁断装置
２  刃物固定部
３  移動ベース
４  切断用フレーム
５  レール
６  ガイド用車輪
２０  裁断刃
２１  ネジ
２２  刃物ベース
２３  先裁刃
２４  第１角度調整スペーサー
２４ａ  傾斜面
２４ｂ  位置決め溝
２５  第２角度調整スペーサー
２６  ８度用ワッシャー
２７  第３角度調整スペーサー
２８  第４角度調整スペーサー
２９  １３度用ワッシャー
【図１】
0006593921.tif 000002
【図２】
0006593921.tif 000003
【図３】
0006593921.tif 000004
【図４】
0006593921.tif 000005
【図５】
0006593921.tif 000006
【図６】
0006593921.tif 000007
【図７】
0006593921.tif 000008
【図８】
0006593921.tif 000009
【図９】
0006593921.tif 000010
【図１０】
0006593921.tif 000011
【図１１】
0006593921.tif 000012
【図１２】
0006593921.tif 000013